(57)【要約】      （修正有）【課題】個人でもゴルフコンペに気軽に参加することができ、ゴルフ場の活性化を図ることもできるゴルフコンペ実施方法及び実施システムを提供する。【解決手段】ゴルフコンペ実施システム１は会員の各々が所持する端末装置２と、端末装置２の各々とネットワーク３を介して通信するサーバ４とを備え、端末装置２において、表示部に表示される所定のゴルフコンペに関する情報を指定すると、端末装置２からサーバ４に対し、端末装置２の参加申込情報生成部によって生成されたゴルフコンペ参加申込情報が送信されて参加申込がなされ、所定のゴルフコンペに参加した会員のプレー終了後に、端末装置２からサーバ４に対し、端末装置２のスコア算出部によって算出された各会員のスコアが送信され、会員のスコアを受信したサーバ４のスコア集計部によって生成された会員の成績が、端末装置２の表示部に表示される。【選択図】図１
2015211702.tif 000002
【特許請求の範囲】
【請求項１】
会員が端末装置に表示された所定のゴルフコンペに関する情報を指定すると、
該端末装置とネットワークを介して通信するサーバを介し、前記所定のゴルフコンペへの参加申込がなされ、
該所定のゴルフコンペに参加した会員のプレー終了後に、該会員のスコアを該サーバにて集計し、該会員の成績を前記端末装置に表示することを特徴とするゴルフコンペ実施方法。
【請求項２】
前記スコアを算出するための打数の記録は、前記会員の各々が前記端末装置に入力することにより行われ、
前記端末装置の記録に基づいて前記会員の前記スコア算出に係る不正を防止することを特徴とする請求項１に記載のゴルフコンペ実施方法。
【請求項３】
複数の会員の各々が所持する端末装置と、該端末装置の各々とネットワークを介して通信するサーバとを備えるゴルフコンペ実施システムであって、
前記端末装置は、表示部と、会員情報を入力する入力部と、スコア算出部と、参加申込情報生成部と、通信制御部とを備え、
前記サーバは、前記複数の会員の各々の会員情報を受信するとともに、ゴルフコンペに関する情報を送信する通信制御部と、該通信制御部を介して受信した情報を各会員毎に記録するとともに、ゴルフコンペに関する情報を記録する記録部と、スコア集計部とを備え、
前記端末装置において、前記表示部に表示される所定のゴルフコンペに関する情報を指定すると、該端末装置から前記サーバに対し、前記参加申込情報生成部によって生成されたゴルフコンペ参加申込情報が送信されて参加申込がなされ、前記所定のゴルフコンペに参加した会員のプレー終了後に、前記端末装置から前記サーバに対し、前記スコア算出部によって算出された各会員のスコアが送信され、該会員のスコアを受信したサーバの前記スコア集計部によって生成された該会員の成績が、前記端末装置の前記表示部に表示されることを特徴とするゴルフコンペ実施システム。
【請求項４】
複数の会員の各々が所持し、ネットワークを介して通信するサーバと通信可能な端末装置であって、
表示部と、
スコア算出部と、
参加申込情報生成部と、
通信制御部とを備え、
前記表示部に、前記サーバから送信されたゴルフコンペに関する情報を表示し、
表示されたゴルフコンペに関する情報の中から所定のゴルフコンペに関する情報を指定すると、
該端末装置から前記サーバに対し、前記参加申込情報生成部で生成された参加申込情報が送信され、
前記所定のゴルフコンペに参加した会員のプレー後に、前記スコア算出部が算出した該会員のスコアを前記サーバに送信し、
該サーバから受信した該会員の成績を前記表示部に表示することを特徴とする端末装置。
【請求項５】
前記入力部を介して前記会員の打数が入力され、
該端末装置の周囲の画像情報、該端末装置の周囲の音声情報及び該端末装置の位置情報からなる群から選択される一以上の不正防止情報を取得する手段とを備え、
前記スコアを前記サーバに送信する際に、前記不正防止情報も送信することを特徴とする請求項４に記載の端末装置。
【請求項６】
該端末装置は、携帯電話端末としても機能することを特徴とする請求項４又は５に記載の端末装置。
【請求項７】
ネットワークを介して複数の会員の各々が所持する端末装置と通信可能なサーバであって、
前記複数の会員の各々の会員情報を前記端末装置の各々から受信すると共に、ゴルフコンペに関する情報を各端末装置に送信する通信制御部と、
該通信制御部を介して受信した情報を各会員毎に記録するとともに、ゴルフコンペに関する情報を記録する記録部と、
前記端末装置から所定のゴルフコンペへの参加申込情報を受信すると、該端末装置の前記所定のゴルフコンペへの参加を確定し、前記所定のゴルフコンペに参加した会員のプレー後に、前記端末装置から該会員のスコアを受信すると、前記スコア集計部にて該会員の成績を決定し、該会員の成績を前記端末装置に送信することを特徴とするサーバ。
【請求項８】
前記通信制御部は、前記端末装置から不正防止情報を受信し、
該不正防止情報に基づいて前記スコアの不正を検知する不正検知部備えることを特徴とするサーバ。
【発明の詳細な説明】
【技術分野】
【０００１】
本発明は、ゴルフ競技会（以下「ゴルフコンペ」という。）を実施する方法及びシステムに関する。
【背景技術】
【０００２】
複数の参加者がゴルフをプレーし、成績優秀者等に賞品等を授与するゴルフコンペ（以下、適宜「コンペ」という。）が行われている。このコンペには、ゴルフ場等が主催して参加者を募り、一人単位で参加を受け付けるオープンコンペや、複数人単位で参加を受け付けるプライベートコンペが存在する。
【発明の概要】
【発明が解決しようとする課題】
【０００３】
しかし、プライベートコンペを開催する場合には、ゴルフ場の予約状況のみならず、参加者間で連絡を取り合い、賞品等を選択し、場合によっては、参加者の都合に応じてコンペの開催地や日時を変更する必要があった。また、オープンコンペの場合でも、参加者は、予めコンペの開催予定を調べて予約状況を確認したり、予め参加申し込み手続を種々行う必要があるなど手間がかかった。
【０００４】
一方、２０〜３０代のゴルフ人口が最近１０年で約２００万人減少しているという統計もあるように、近年若者のゴルフ離れが目立つようになり、ゴルフ業界は競技人口の低下に危機感を抱いてる。
【０００５】
そこで、本発明は、個人でも気軽に参加することができ、ゴルフ場の活性化を図ることもできるゴルフコンペ実施方法及び実施システムを提供することを目的とする。
【課題を解決するための手段】
【０００６】
上記目的を達成するため、本発明のゴルフコンペ実施方法は、会員が端末装置に表示された所定のゴルフコンペに関する情報を指定すると、該端末装置とネットワークを介して通信するサーバを介し、前記所定のゴルフコンペへの参加申込がなされ、該所定のゴルフコンペに参加した会員のプレー終了後に、該会員のスコアを該サーバにて集計し、該会員の成績を前記端末装置に表示することを特徴とする。
【０００７】
本発明によれば、会員（参加者）は、端末装置に表示された所定のゴルフコンペに関する情報を指定するだけで、コンペへの参加を申し込むことができ、プレー終了後に、該会員のスコアをサーバにて集計し、該会員の成績を前記端末装置に表示することで会員は自分の成績を知ることができるため、個人でも気軽に参加することができる。また、これに伴い、ゴルフ場にとっても顧客の増加を見込むことができ、ゴルフ場の活性化に繋がる。
【０００８】
上記ゴルフコンペ実施方法において、前記スコアを算出するための打数の記録は、前記会員の各々が前記端末装置に入力することにより行われ、前記端末装置の記録に基づいて前記会員の前記スコア算出に係る不正を防止することができる。
【０００９】
また、本発明のゴルフコンペ実施システムは、複数の会員の各々が所持する端末装置と、該端末装置の各々とネットワークを介して通信するサーバとを備え、前記端末装置は、表示部と、会員情報を入力する入力部と、スコア算出部と、参加申込情報生成部と、通信制御部とを備え、前記サーバは、前記複数の会員の各々の会員情報を受信するとともに、ゴルフコンペに関する情報を送信する通信制御部と、該通信制御部を介して受信した情報を各会員毎に記録するとともに、ゴルフコンペに関する情報を記録する記録部と、スコア集計部とを備え、前記端末装置において、前記表示部に表示される所定のゴルフコンペに関する情報を指定すると、該端末装置から前記サーバに対し、前記参加申込情報生成部によって生成されたゴルフコンペ参加申込情報が送信されて参加申込がなされ、前記所定のゴルフコンペに参加した会員のプレー終了後に、前記端末装置から前記サーバに対し、前記スコア算出部によって算出された各会員のスコアが送信され、該会員のスコアを受信したサーバの前記スコア集計部によって生成された該会員の成績が、前記端末装置の前記表示部に表示されることを特徴とする。本発明によれば、個人でも気軽に参加することができ、ゴルフ場の活性化を図ることができる。
【００１０】
さらに、本発明は、複数の会員の各々が所持し、ネットワークを介して通信するサーバと通信可能な端末装置であって、表示部と、スコア算出部と、参加申込情報生成部と、通信制御部とを備え、前記表示部に、前記サーバから送信されたゴルフコンペに関する情報を表示し、表示されたゴルフコンペに関する情報の中から所定のゴルフコンペに関する情報を指定すると、該端末装置から前記サーバに対し、前記参加申込情報生成部で生成された参加申込情報が送信され、前記所定のゴルフコンペに参加した会員のプレー後に、前記スコア算出部が算出した該会員のスコアを前記サーバに送信し、該サーバから受信した該会員の成績を前記表示部に表示することを特徴とする。この端末装置を用いることで、会員は、端末装置に表示された所定のゴルフコンペに関する情報を指定するだけで、コンペへの参加を申し込むことができ、プレー終了後に端末装置に表示された自分の成績を知ることができるため、個人でも気軽にコンペを楽しむことができる。
【００１１】
上記端末装置は、前記入力部を介して前記会員の打数が入力され、該端末装置の周囲の画像情報、該端末装置の周囲の音声情報及び該端末装置の位置情報からなる群から選択される一以上の不正防止情報を取得する手段とを備え、前記スコアを前記サーバに送信する際に、前記不正防止情報も送信することができる。これによって、サーバを用いて会員のスコア算出に係る不正を防止することができる。
【００１２】
該端末装置は、携帯電話端末としても機能することができ、取り扱いが便利である。
【００１３】
また、本発明は、ネットワークを介して複数の会員の各々が所持する端末装置と通信可能なサーバであって、前記複数の会員の各々の会員情報を前記端末装置の各々から受信すると共に、ゴルフコンペに関する情報を各端末装置に送信する通信制御部と、該通信制御部を介して受信した情報を各会員毎に記録するとともに、ゴルフコンペに関する情報を記録する記録部と、前記端末装置から所定のゴルフコンペへの参加申込情報を受信すると、該端末装置の前記所定のゴルフコンペへの参加を確定し、前記所定のゴルフコンペに参加した会員のプレー後に、前記端末装置から該会員のスコアを受信すると、前記スコア集計部にて該会員の成績を決定し、該会員の成績を前記端末装置に送信することを特徴とする。このサーバを用いることで個人客を取り込み、ゴルフ場の活性化を図ることができる。
【００１４】
上記サーバにおいて、前記通信制御部は、前記端末装置から不正防止情報を受信し、該不正防止情報に基づいて前記スコアの不正を検知する不正検知部備えることができる。
【発明の効果】
【００１５】
以上のように、本発明によれば、個人でもゴルフコンペに気軽に参加することができ、ゴルフ場の活性化を図ることもできる。
【図面の簡単な説明】
【００１６】
【図１】本発明に係るゴルフコンペ実施システムの一実施の形態を示す概略図である。
【図２】図１の端末装置を示すブロック図である。
【図３】図１のサーバを示すブロック図である。
【図４】本発明に係るゴルフコンペ実施方法の前処理となる会員登録の手順を説明するためのフローチャートである。
【図５】本発明に係るゴルフコンペ実施方法におけるゴルフコンペの参加申込手順を説明するためのフローチャートである。
【図６】会員の端末装置の表示部を示す概略図であって、会員が参加可能なゴルフコンペの一覧表が表示されている状態を示す。
【図７】端末装置の表示部を示す概略図であって、会員がサーバに対して参加申込を行う際の画面の一例を示す。
【図８】本発明に係るゴルフコンペ実施方法におけるゴルフコンペ当日の動作を説明するためのフローチャートである。
【図９】端末装置の表示部を示す概略図であって、サーバから受信したスコア一覧表を表示部に表示している状態を示す。
【発明を実施するための形態】
【００１７】
図１は、本発明に係るゴルフコンペ実施システムの一実施の形態を示し、このシステム１は、複数の会員の各々が所持する端末装置２（２Ａ〜２Ｄ）と、ネットワーク３を介して各端末装置２と通信するサーバ４とで構成される。
【００１８】
端末装置２は、図２に示すように、大別して、ＧＰＳ（Global Positioning System）受信部１１と、マイク１２と、加速度センサ１３と、ジャイロセンサ１４と、時計１５と、操作部１６と、表示部１７と、制御部２０と、記録部２７等で構成される。尚、加速度センサ１３、ジャイロセンサ１４及び時計１５については、一般的なものを利用することができるため、詳細な説明を省略する。
【００１９】
ＧＰＳ受信部１１は、ＧＰＳ衛星からのＧＰＳ信号をＧＰＳアンテナを介して受信する。このＧＰＳ受信部１１、加速度センサ１３及びジャイロセンサ１４で端末装置２を所持する会員の位置・方向を測定することができる。
【００２０】
マイク１２は、会員がゴルフボールを打ったときに生じる打音等を集音するために設けられ、打音を集音した回数（以下「打音数」という。）をカウントする機能も有する。
【００２１】
操作部１６は、この端末装置２を操作するための操作子が設けられ、操作子に対する操作に応じた制御信号を出力する。操作子としては、例えば、端末装置２の電源をＯＮ／ＯＦＦするための電源キーや、各種入力を行うためのキー等が設けられる。これらの各種キーは、例えば、端末装置２の筐体にハードウェアキーとして設けるようにしてもよいし、表示部１７がタッチパネルディスプレイの場合には、各種キーがソフトウェアキーとして表示部１７に表示されるようにしてもよい。また、記録部２７は、例えば、ＨＤＤ（Hard Disc Drive）やフラッシュメモリであり、後述するユーザの会員情報等を記録する。
【００２２】
表示部１７は、例えばＬＣＤ（Liquid Crystal Display）からなり、後述するアイコン、コンペの一覧表等を表示する。表示部１７としては、例えば、ＬＣＤ上にタッチセンサを有するタッチパネルが積層されたタッチパネルディスプレイを用いることができる。
【００２３】
制御部２０は、この端末装置２の全体を制御し、入力制御部２１と、移動経路生成部２２と、表示制御部２３と、通信制御部２４と、スコア算出部２５と、参加申込情報生成部２６とで構成される。
【００２４】
入力制御部２１は、操作部１６から供給される使用者の操作に応じた制御信号に基づき入力内容や選択内容を判別し、操作信号を表示制御部２３へ出力する。
【００２５】
移動経路生成部２２は、ＧＰＳ受信部１１で受信したＧＰＳ信号、加速度センサ１３及びジャイロセンサ１４からの信号に基づき、端末装置２を所持する会員の位置（緯度、経度）、方向（角度、加速度等）を示す位置・方向情報を取得し、該位置・方向情報から会員の移動経路を生成する。
【００２６】
表示制御部２３は、記録部２７から会員情報を読み出して会員情報を表示したり、メッセージを表示したり、スコア算出画面を表示したり、操作部１６に対する使用者の操作に応じて表示部１７の表示画面を切り替える処理等を行う。
【００２７】
通信制御部２４は、ネットワーク３を介して端末装置２とサーバ４との間で通信を行う。スコア算出部２５は、例えば、サーバ４から受信したスコア算出ソフトであって、会員が操作部１６を介して打数を記録すると、入力された打数と、基準打数及びハンディキャップ等を考慮して自動的にスコアを算出する。参加申込情報生成部２６は、端末装置２からサーバ４に対し、会員が指定したコンペへの参加申込を知らせるための参加申込情報を生成する。
【００２８】
サーバ４は、図３に示すように、通信制御部３１と、記録部３２と、一覧表生成部３３と、不正検知部３４と、スコア集計部３５とで構成される。
【００２９】
通信制御部３１は、図１に示したネットワーク３を介して、複数の端末装置２と通信を行う。記録部３２は、通信制御部３１を介して受信した会員情報と、ゴルフコース情報を含むゴルフ場情報と、コンペ情報等を記録する。コンペ情報とは、主催者、開催地、開催日時、賞品、予約状況等を含む情報である。
【００３０】
一覧表生成部３３は、会員が参加可能なコンペの一覧表を生成する。この一覧表は、例えば、図６に示すように、参加するコンペが開催されるゴルフ場において、開催日時の早い順にコンペ名称、ハンデ戦であるか否かなどの情報を並べたものとなる。
【００３１】
不正検知部３４は、各端末装置２から受信した打音数や移動経路の不正防止情報に基づき、スコアの打数と打音数を比較したり、移動経路が各ホールのティーの地点を含むか否かなどを検証して不正の有無を検知する。
【００３２】
スコア集計部３５は、各会員のスコアを集計して会員の成績情報を生成する。この成績情報は、全会員のスコアの一覧表に順位を付して成績表としてもよいし、各会員の順位のみでもよい。
【００３３】
次に、本発明に係るゴルフコンペ実施方法について、図面を参照しながら説明する。尚、以下の説明においては、まず、ゴルフコンペ実施方法を実施するための前処理となる会員登録の手順について図４を参照しながら説明する。尚、ゴルフコンペは、所定のゴルフ場一箇所で行われるものとし、スクラッチ競技（以下適宜「ハンデなし」と表記する）と、ハンデ競技（以下適宜「ハンデあり」と表記する）の２つの競技が行われるものとする。
【００３４】
上記会員登録を行うにあたって、本ゴルフコンペ実施方法を利用するユーザは、例えば、インターネット上において、氏名や住所等を入力することにより、本発明に係るゴルフコンペ実施方法を実施するためのソフトウエアを無料で手に入れ、そのソフトウエアを携帯電話端末としてのスマートフォンにインストールすることで、スマートフォンを本発明に係る端末装置として機能させる（ステップＳ１）。尚、以下、端末装置２をスマートフォン２に置き換えて説明する。
【００３５】
スマートフォン２へのインストールが終了すると、スマートフォン２の表示部１７にユーザの会員情報を入力させるメッセージが表示され（ステップＳ２）、ユーザは、例えば、氏名、電話番号、参加するコンペが開催されるゴルフ場、ハンディキャップ等を入力して会員登録を行う（ステップＳ３）。
【００３６】
会員登録が終了すると、ユーザが入力した会員情報が、サーバ４へ送信されて記録部３２に記録される（ステップＳ４）。そして、スマートフォン２の表示部１７に、本ゴルフコンペ実施方法を実施するためのアイコンが表示される（ステップＳ５）。このアイコンは、例えば、コンペ参加申込と、スコア送信と題される２つのアイコンとすることができる。以上で会員登録方法を終了する。尚、以下の説明においては、ユーザを会員と呼ぶこととする。
【００３７】
次に、本ゴルフコンペ実施方法について、図５〜図９を参照しながら説明する。尚、以下の説明においては、まず、コンペへの参加申込について図５を参照しながら説明し、次に、コンペ当日の動作について図８を参照しながら説明する。
【００３８】
図５のステップＳ１１において、会員によってコンペ参加申込アイコンが指定されると（ステップＳ１１：Ｙｅｓ）、表示部１７には、図６に示すように、サーバ４の一覧表生成部３３によって生成された、会員の参加可能なコンペの一覧表が表示される（ステップＳ１２）。尚、ステップＳ１１において、アイコンが指定されない場合には（ステップＳ１１：Ｎｏ）、アイコンが指定されるまで待機する。
【００３９】
ここで、例えば、会員がコンペＡ（第１回、ハンデあり）を指定すると（ステップＳ１３）、表示部１７に、図７に示すように、例えば、「コンペＡ（第１回）への参加を申し込みますか」というメッセージが表示され（ステップＳ１４）、ステップＳ１５において、会員が「Ｙｅｓ」を指定すると（ステップＳ１５：Ｙｅｓ）、スマートフォン２の参加申込情報生成部２６によって、コンペＡ（第１回）への参加申込情報が生成され（ステップＳ１６）、サーバ４にこの参加申込情報を送信し（ステップＳ１７）、会員のコンペＡ（第１回）への参加申込が完了する。一方、ステップＳ１５において、「Ｎｏ」が指定された場合には（ステップＳ１５：Ｎｏ）、ステップＳ１３へ戻る。
【００４０】
次に、図８はコンペ当日に係る本方法の動作を示し、各会員は上記コンペＡ（第１回、ハンデあり）に参加して実際にゴルフをプレーする。
【００４１】
会員は、スコア申告責任者（以下「同伴者」という）と共にプレーを行うか、同伴者の下でプレー行い、ゴルフのプレーと並行してスマートフォン２の操作部を介して各自打数を入力する（ステップＳ２１）。ここで、同伴者は、ホール毎に会員が不正にスコアを入力していないことを監視してもよい。
【００４２】
スコア算出部２５は、各々のホールで入力された打数からスコアを算出する（ステップＳ２２）。さらに、移動経路生成部２２によって会員の移動経路が生成される（ステップＳ２３）また、スマートフォン２は、マイク１２を介して、会員の打音数をカウントする（ステップＳ２４）。
【００４３】
そして、コンペＡ（第１回）が終了すると、ステップＳ２５において、会員はスマートフォン２の表示部１７に表示されるスコア送信アイコンを指定する。すると（ステップＳ２５：Ｙｅｓ）、会員のスコア、移動経路及び打音数がサーバ４に送信される（ステップＳ２６）。尚、ステップＳ２５において、スコア送信アイコンが指定されない場合には（ステップＳ２５：Ｎｏ）、スコア送信アイコンが指定されるまで待機する。
【００４４】
同伴者がホール毎に会員が不正にスコアを入力していないことを監視できない場合を考慮して、サーバ４において、受信したスコアと打音数を会員毎に記録した後（ステップＳ２７）、不正検知部３４において、スコア上の打数と、打音数との比較、及び移動経路の検証がなされる（ステップＳ２８）。
【００４５】
不正検知部３４において、不正が無い、すなわち、会員が各ホールを回っており、スコア上の打数と打音数が一致すると判断された場合には（ステップＳ２８：Ｙｅｓ）、不正の無いスコアと、その会員情報をスコア集計部３５へ送信してスコアの集計がなされる（ステップＳ２９）。
【００４６】
一方、不正検知部３４において、会員が所定の移動経路を移動していないか、スコア上の打数と打音数が一致しないと判断された場合には、（ステップＳ２８：Ｎｏ）、不正が検知された会員のスマートフォン２に対し、スコアの不正申告により入賞資格を剥奪する可能性がある旨を伝えるメッセージを送信する（ステップＳ３０）。尚、会員の操作ミスにより、打数が実際よりも少なく入力されることもあり得るため、同伴者の承認の上、スコアの修正機会を与えてもよい。
【００４７】
上記要領でスコアを集計し（ステップＳ２９）、スコア集計部３５で生成された成績表を各会員のスマートフォン２に送信し（ステップＳ３１）、図９に示すように、スマートフォン２の表示部１７に成績表を表示することで、会員は各自の成績を確認できる。この成績表の各会員の順位に基づいて、入賞資格を有する参加者が賞品等を受領することができる（ステップＳ３２）。以上で動作の説明を終了する。
【００４８】
尚、上記説明においては、不正防止情報として、会員の打音数と、スマートフォン２の移動経路の両方を利用したが、どちらか一方を利用してもよく、会員がプレーしている間中、スマートフォン２のカメラでプレー状況を撮影した画像を不正防止情報として利用してもよい。さらに、電子コンパス、湿度センサー、光度センサー、気圧センサー、傾斜センサー、振動センサー等を不正防止情報を得るために用いることもできる。
【００４９】
また、上記コンペを１回（１日）限りで完結させてもよいが、同一のゴルフ場において所定期間内に複数回(複数日にわたって）上記要領でプレーを行い、所定の会員が最も成績がよかった回（日）の成績に基づいて賞品等を授与するようにしてもよく、あるいは複数回の平均値で順位を決めてもよい。これにより、顧客がゴルフ場へ足を運ぶ回数が増え、ゴルフ場の活性化を図ることもできる。
【符号の説明】
【００５０】
１  ゴルフコンペ実施システム
２（２Ａ〜２Ｄ）  端末装置（スマートフォン）
３  ネットワーク
４  サーバ
１１  ＧＰＳ受信部
１２  マイク
１３  加速度センサ
１４  ジャイロセンサ
１５  時計
１６  操作部
１７  表示部
２０  制御部
２１  入力制御部
２２  移動経路生成部
２３  表示制御部
２４  通信制御部
２５  スコア算出部
２６  参加申込情報生成部
２７  記録部
３１  通信制御部
３２  記録部
３３  一覧表生成部
３４  不正検知部
３５  スコア集計部
【図１】
2015211702.tif 000003
【図２】
2015211702.tif 000004
【図３】
2015211702.tif 000005
【図４】
2015211702.tif 000006
【図５】
2015211702.tif 000007
【図６】
2015211702.tif 000008
【図７】
2015211702.tif 000009
【図８】
2015211702.tif 000010
【図９】
2015211702.tif 000011